(57)【要約】【課題】ドラムカートリッジとトナーカートリッジのそれぞれに記憶媒体がある場合に、画像形成装置の大型化を抑制することができる。【解決手段】ドラムカートリッジ８は、画像形成装置１に対して、装着方向に装着可能であって、開口８０Ｋを有するフレーム８０と、感光体ドラム８１と、第２電気接点１２２を有する第２記憶媒体１２０であって、フレーム８０の外表面に位置する第２記憶媒体１２０と、を備えている。フレーム８０は、内部にトナーを収容する筐体９０と、第１電気接点１１２を有する第１記憶媒体１１０と、を有するトナーカートリッジ９を装着可能である。トナーカートリッジ９がフレーム８０に装着された状態において、第１記憶媒体１１０は、開口８０Ｋから露出し、且つ、第２記憶媒体１２０と装着方向に並ぶ。【選択図】図５
2019159048.tif 000002
【特許請求の範囲】
【請求項１】
画像形成装置に対して、装着方向に装着可能なドラムカートリッジであって、
内部にトナーを収容する筐体と、第１電気接点を有する第１記憶媒体と、を有するトナーカートリッジを装着可能なフレームであって、開口を有するフレームと、
感光体ドラムと、
第２電気接点を有する第２記憶媒体であって、前記フレームの外表面に位置する第２記憶媒体と、
を備え、
前記トナーカートリッジが前記フレームに装着された状態において、前記第１記憶媒体は、前記開口から露出し、且つ、前記第２記憶媒体と前記装着方向に並ぶことを特徴とするドラムカートリッジ。
【請求項２】
前記第１記憶媒体は、前記第１電気接点を複数有し、
複数の前記第１電気接点のそれぞれは、前記装着方向に延び、
複数の前記第１電気接点は、前記装着方向に交差する第１交差方向に並び、
前記第２記憶媒体は、前記第２電気接点を複数有し、
複数の前記第２電気接点のそれぞれは、前記装着方向に延び、
複数の前記第２電気接点は、前記第１交差方向に並ぶことを特徴とする請求項１に記載のドラムカートリッジ。
【請求項３】
前記交差方向における複数の前記第２電気接点のそれぞれの中心は、前記第１交差方向における複数の前記第１電気接点のそれぞれの中心と、前記第１交差方向における位置が異なることを特徴とする請求項２に記載のドラムカートリッジ。
【請求項４】
前記第２電気接点は、前記第１電気接点と同一平面上に位置することを特徴とする請求項１から請求項３のいずれか１項に記載のドラムカートリッジ。
【請求項５】
前記感光体ドラムは、軸方向に延びる第１軸について回転可能であり、
前記フレームは、
前記軸方向における前記フレームの一端部に位置する第１サイドフレームと、
前記軸方向における前記フレームの他端部に位置する第２サイドフレームと、
前記第１サイドフレームと前記第２サイドフレームを繋ぐボトムフレームであって、前記フレームに前記トナーカートリッジが装着された状態において、前記トナーカートリッジと向かい合う第１面と、前記第１面とは反対側の第２面とを有するボトムフレームと、
を有し、
前記トナーカートリッジは、前記第１サイドフレームと前記第２サイドフレームとの間に装着可能であり、
前記第２記憶媒体は、前記第２面に位置することを特徴とする請求項１から請求項４のいずれか１項に記載のドラムカートリッジ。
【請求項６】
前記軸方向は、前記装着方向と直交することを特徴とする請求項１から請求項５のいずれか１項に記載のドラムカートリッジ。
【請求項７】
前記トナーカートリッジは、前記軸方向に延びる第３軸について回転可能な現像ローラを有することを特徴とする請求項１から請求項６のいずれか１項に記載のドラムカートリッジ。
【請求項８】
請求項１から請求項７のいずれか１項に記載のドラムカートリッジを装着可能な画像形成装置であって、
前記トナーカートリッジが前記ドラムカートリッジに装着された状態で前記ドラムカートリッジが前記画像形成装置に装着された場合、
前記第１電気接点と電気的に接触する第３電気接点と、
前記第２電気接点と電気的に接触する第４電気接点と、備えることを特徴とする画像形成装置。
【請求項９】
前記第３電気接点は、複数設けられ、
前記第４電気接点は、複数設けられ、
複数の前記第４電気接点のそれぞれは、複数の前記第３電気接点のそれぞれと、前記装着方向に交差する第２交差方向において異なる位置に配置されていることを特徴とする請求項８に記載の画像形成装置。
【請求項１０】
第２筐体をさらに有し、
前記第３電気接点および前記第４電気接点は、前記第２筐体に支持されていることを特徴とする請求項８または請求項９に記載の画像形成装置。
【請求項１１】
前記第２筐体は、前記第３電気接点と前記第４電気接点に接続されたコネクタを有すること特徴とする請求項８から請求項１０のいずれか１項に記載の画像形成装置。
【発明の詳細な説明】
【技術分野】
【０００１】
本発明は、ドラムカートリッジおよびドラムカートリッジを備える画像形成装置に関する。
【背景技術】
【０００２】
従来、画像形成装置に装着可能なプロセスカートリッジにおいて、ＩＣチップなどの記憶媒体を備えるものが知られている（特許文献１参照）。この技術では、画像形成装置は、プロセスカートリッジが装着されたときに記憶媒体からプロセスカートリッジの情報を読み取ることが可能となっている。
また、特許文献１に記載されている一体型のプロセスカートリッジと異なる分離型のカートリッジも知られている。例えば、ドラムカートリッジに装着可能なトナーカートリッジが知られている（特許文献２）。
【先行技術文献】
【特許文献】
【０００３】
【特許文献１】特開２００９−００８６９８号公報
【特許文献２】特開２００９−２６５４０１号公報
【発明の概要】
【発明が解決しようとする課題】
【０００４】
ところで、特許文献２に記載のドラムカートリッジとトナーカートリッジにおいては、ドラムカートリッジとトナーカートリッジをそれぞれの寿命に応じて別々に交換することが可能なため、それぞれの情報を読み取ることが望まれている。しかしながら、ドラムカートリッジとトナーカートリッジのそれぞれに記憶媒体を設けると、情報を読み取る部材を各記憶媒体に対応させて画像形成装置に配置する必要がある。このため、記憶媒体の配置によっては、画像形成装置が大型化してしまう。
【０００５】
そこで、本発明は、ドラムカートリッジとトナーカートリッジのそれぞれに記憶媒体がある場合に、画像形成装置の大型化を抑制することを目的とする。
【課題を解決するための手段】
【０００６】
前記した目的を達成するため、本発明のドラムカートリッジは、画像形成装置に対して、装着方向に装着可能であって、開口を有するフレームと、感光体ドラムと、第２電気接点を有する第２記憶媒体であって、前記フレームの外表面に位置する第２記憶媒体と、を備えている。フレームは、内部にトナーを収容する筐体と、第１電気接点を有する第１記憶媒体と、を有するトナーカートリッジを装着可能である。
トナーカートリッジがフレームに装着された状態において、第１記憶媒体は、開口から露出し、且つ、第２記憶媒体と装着方向に並ぶ。
【０００７】
このような構成によれば、トナーカートリッジの第１記憶媒体とドラムカートリッジの第２記憶媒体が装着方向に並んでいる。このため、画像形成装置に、第１記憶媒体および第２記憶媒体からの情報を読み取るための電気接点を装着方向に並べて配置することができる。この結果、画像形成装置の大型化を抑制することができる。
【０００８】
前記したドラムカートリッジにおいて、第１記憶媒体は、第１電気接点を複数有し、複数の第１電気接点のそれぞれは、装着方向に延び、複数の第１電気接点は、装着方向に交差する第１交差方向に並び、第２記憶媒体は、第２電気接点を複数有し、複数の第２電気接点のそれぞれは、装着方向に延び、複数の第２電気接点は、前記第１交差方向に並ぶ構成としてもよい。
【０００９】
これによれば、ドラムカートリッジが装着方向にずれたとしても、第１電気接点および第２電気接点は、対応する電気接点と安定して接触することができる。
【００１０】
前記したドラムカートリッジにおいて、第１交差方向における複数の第２電気接点のそれぞれの中心は、直交方向における複数の第１電気接点のそれぞれの中心と、第１交差方向における位置が異なる構成としてもよい。
【００１１】
これによれば、第１電気接点に接触する画像形成装置側の電気接点と、第２電気接点に接触する画像形成装置側の電気接点を近くに配置することができる。
【００１２】
前記したドラムカートリッジにおいて、第２電気接点は、第１電気接点と同一平面上に位置する構成としてもよい。
【００１３】
これによれば、第１電気接点に接触する画像形成装置側の電気接点と第２電気接点に接触する画像形成装置側の電気接点の配置が容易になるとともに、接触を安定させやすくできる。
【００１４】
前記したドラムカートリッジにおいて、感光体ドラムは、軸方向に延びる第１軸について回転可能であり、フレームは、軸方向におけるフレームの一端部に位置する第１サイドフレームと、軸方向におけるフレームの他端部に位置する第２サイドフレームと、第１サイドフレームと第２サイドフレームを繋ぐボトムフレームであって、フレームにトナーカートリッジが装着された状態において、トナーカートリッジと向かい合う第１面と、第１面とは反対側の第２面とを有するボトムフレームと、を有し、トナーカートリッジは、第１サイドフレームと第２サイドフレームとの間に装着可能であり、第２記憶媒体は、第２面に位置する構成としてもよい。
【００１５】
前記したドラムカートリッジにおいて、軸方向は、装着方向と直交する構成としてもよい。
【００１６】
前記したドラムカートリッジにおいて、トナーカートリッジは、軸方向に延びる第３軸について回転可能な現像ローラを有する構成としてもよい。
【００１７】
前記したドラムカートリッジを装着可能な画像形成装置であって、トナーカートリッジがドラムカートリッジに装着された状態で、ドラムカートリッジが前記画像形成装置に装着された場合、第１電気接点と電気的に接触する第３電気接点と、第２電気接点と電気的に接触する第４電気接点と、備える構成としてもよい。
【００１８】
これによれば、画像形成装置は、第３電気接点で第１電気接点から第１記憶媒体の情報を読み取ることができ、第４電気接点で第２電気接点から第２記憶媒体の情報を読み取ることができる。
【００１９】
前記した画像形成装置において、第３電気接点は、複数設けられ、第４電気接点は、複数設けられ、複数の第４電気接点のそれぞれは、複数の第３電気接点のそれぞれと、装着方向に交差する第２交差方向において異なる位置に配置されている構成としてもよい。
【００２０】
これによれば、第３電気接点を第４電気接点の近くに配置することができる。
【００２１】
前記した画像形成装置において、第２筐体をさらに有し、第３電気接点および第４電気接点は、第２筐体に支持されている構成としてもよい。
【００２２】
これによれば、第３電気接点および前記第４電気接点を単一の第２筐体にまとめることができるので、画像形成装置が大型化することを抑制できる。
【００２３】
前記した画像形成装置において、第２筐体は、前記第３電気接点と前記第４電気接点に接続されたコネクタを有する構成としてもよい。
【００２４】
これによれば、第３電気接点および第４電気接点を単一のコネクタにまとめることができるので、配線が容易になり、画像形成装置が大型化することを抑制できる。
【発明の効果】
【００２５】
本発明によれば、ドラムカートリッジとトナーカートリッジのそれぞれに記憶媒体がある場合に、画像形成装置の大型化を抑制することができる。
【図面の簡単な説明】
【００２６】
【図１】本発明の実施形態における画像形成装置の概略構成を示す図である。
【図２】ドラムカートリッジとトナーカートリッジの斜視図である。
【図３】プロセスカートリッジの断面図である。
【図４】ドラムカートリッジを下から見た図である。
【図５】プロセスカートリッジを下から見た図である。
【図６】第１記憶媒体、第２記憶媒体、第３電気接点および第４電気接点の位置関係を示す図である。
【図７】画像形成装置における電気接点部材の配置を示す斜視図である。
【図８】電気接点部材の斜視図（ａ）と断面図（ｂ）である。
【図９】他の形態のプロセスカートリッジを示す図である。
【図１０】他の形態のプロセスカートリッジを示す図である。
【発明を実施するための形態】
【００２７】
次に、本発明の実施形態について、図面を参照しながら詳細に説明する。
図１に示すように、モノクロ用のレーザプリンタの画像形成装置１は、本体筐体２と、記録シートＳを本体筐体２内に供給するためのフィーダ部３と、記録シートＳに画像を形成するための画像形成部４と、制御装置１００と、を主に備えている。
【００２８】
本体筐体２は、中空のケース状に形成されている。本体筐体２は、側壁２１と、側壁２１を繋ぐ前壁２２とを有している。側壁２１には、後述するプロセスカートリッジ６を案内するためのガイド溝２１Ａがそれぞれ形成されている。前壁２２には、本体開口２２Ａが形成されるとともに、本体開口２２Ａを開閉するフロントカバー２３が揺動可能に設けられている。ガイド溝２１Ａは、本体筐体２の内部から本体開口２２Ａまで延びている。
【００２９】
フィーダ部３は、本体筐体２の下部に着脱可能に装着される供給トレイ３１と、供給トレイ３１内の記録シートＳを画像形成部４に向けて給紙する供給機構３２とを備えている。
【００３０】
画像形成部４は、スキャナユニット５と、プロセスカートリッジ６と、定着装置７とを備えている。
【００３１】
スキャナユニット５は、本体筐体２内の上部に設けられ、図示しないレーザ発光部、ポリゴンミラー、レンズおよび反射鏡などを備えている。このスキャナユニット５では、レーザビームを、後述する感光体ドラム８１の表面上に高速走査にて照射する。
【００３２】
制御装置１００は、例えば、ＣＰＵ、ＲＡＭ、ＲＯＭおよび入出力回路を備えており、装着されたカートリッジの情報やＲＯＭに記憶されたプログラムやデータなどに基づいて演算処理を行うことによって、印刷制御を実行している。
【００３３】
プロセスカートリッジ６は、フィーダ部３とスキャナユニット５との間に配置されている。プロセスカートリッジ６は、本体筐体２のフロントカバー２３で開閉される本体開口２２Ａを通して、本体筐体２に対して、装着方向に装着可能となっている。プロセスカートリッジ６は、本体筐体２に形成されたガイド溝２１Ａに沿って装着される。つまり、装着方向は、ガイド溝２１Ａに沿った方向である。
【００３４】
プロセスカートリッジ６は、ドラムカートリッジ８と、ドラムカートリッジ８に対して装着可能なトナーカートリッジ９とを備えている。トナーカートリッジ９は、ドラムカートリッジ８に装着された状態で、プロセスカートリッジ６として画像形成装置１に装着される。
【００３５】
ドラムカートリッジ８は、トナーカートリッジ９を装着可能なフレーム８０と、感光体ドラム８１と、転写ローラ８２と、帯電器８３と、ピンチローラ８４とを主に有している。感光体ドラム８１は、軸方向に延びる第１軸Ｘ１について回転可能である。軸方向は、装着方向と交差する第１交差方向である。本実施形態では、軸方向は、装着方向と直交している。
【００３６】
図２に示すように、フレーム８０は、第１サイドフレーム８０Ｌと、第２サイドフレーム８０Ｒと、ボトムフレーム８０Ｂと、開口８０Ｋとを有している。第１サイドフレーム８０Ｌは、軸方向におけるフレーム８０の一端部に位置する。第２サイドフレーム８０Ｒは、軸方向におけるフレーム８０の他端部に位置する。第１サイドフレーム８０Ｌおよび第２サイドフレーム８０Ｒは、軸方向に交差している。トナーカートリッジ９は、第１サイドフレーム８０Ｌと第２サイドフレーム８０Ｒとの間に装着可能となっている。
【００３７】
ボトムフレーム８０Ｂは、第１サイドフレーム８０Ｌと第２サイドフレーム８０Ｒを繋いでいる。ボトムフレーム８０Ｂは、第１面８０Ｔと第２面８０Ｕと開口８０Ｋを有している。第１面８０Ｔは、フレーム８０にトナーカートリッジ９が装着された状態において、トナーカートリッジ９と向かい合う面である。第２面８０Ｕは、第１面８０Ｔとは反対側の面である。開口８０Ｋは、矩形形状を有している。開口８０Ｋは、軸方向におけるボトムフレーム８０Ｂの一端側に位置している。
【００３８】
ピンチローラ８４は、ボトムフレーム８０Ｂを挟んでトナーカートリッジ９とは反対側に位置している。ピンチローラ８４は、軸方向に延びる第２軸Ｘ２について回転可能である。ピンチローラ８４は、本体筐体２内に配置されたレジストレーションローラ２９に対向するようになっている（図１参照）。ピンチローラ８４は、レジストレーションローラ２９とともに記録シートＳを案内する。
【００３９】
図１に示すように、トナーカートリッジ９は、内部にトナーを収容する筐体９０と、現像ローラ９１と、供給ローラ９２とを主に有している。現像ローラ９１は、軸方向に延びる第３軸Ｘ３について回転可能である。現像ローラ９１は感光体ドラム８１にトナーを供給する。供給ローラ９２は筐体９０のトナーを現像ローラ９１に供給する。
【００４０】
このプロセスカートリッジ６では、回転する感光体ドラム８１の表面が、帯電器８３により一様に帯電された後、スキャナユニット５からのレーザビームの高速走査により露光される。これにより、露光された部分の電位が下がって、感光体ドラム８１の表面に画像データに基づく静電潜像が形成される。
【００４１】
次いで、回転駆動される現像ローラ９１によってトナーカートリッジ９内のトナーが感光体ドラム８１の静電潜像に供給されて、感光体ドラム８１の表面上にトナー像が形成される。その後、感光体ドラム８１と転写ローラ８２の間で記録シートＳが搬送されることで、感光体ドラム８１の表面に担持されているトナー像が記録シートＳ上に転写される。
【００４２】
定着装置７は、加熱ローラ７１と、加熱ローラ７１と対向して配置され加熱ローラ７１を押圧する加圧ローラ７２とを備えている。そして、このように構成される定着装置７では、記録シートＳ上に転写されたトナーを、記録シートＳが加熱ローラ７１と加圧ローラ７２との間を通過する間に熱定着している。
【００４３】
なお、定着装置７で熱定着された記録シートＳは、定着装置７の下流側に配設される排紙ローラ２４に搬送され、この排紙ローラ２４から排紙トレイ２５上に送り出される。
【００４４】
図３に示すように、ドラムカートリッジ８は、第２記憶媒体１２０を有している。第２記憶媒体は、例えば、ＩＣチップなどの情報を記憶する媒体であり、ＩＣチップに限られない。第２記憶媒体１２０は、フレーム８０の外表面に位置している。詳しくは、第２記憶媒体１２０は、第２面８０Ｕに位置している。第２記憶媒体１２０は、ドラムカートリッジ８に接着により固定されている。
【００４５】
第２記憶媒体１２０は、記憶素子１２１と第２電気接点１２２を有している。記憶素子１２１にはトナーカートリッジ９の製品情報が記憶されている。第２電気接点１２２は記憶素子１２１と接続されている。
【００４６】
図４に示すように、第２記憶媒体１２０は、軸方向におけるボトムフレーム８０Ｂの一端側に位置している。第２記憶媒体１２０は、開口８０Ｋと装着方向に並んでいる。
【００４７】
第２電気接点１２２は、基板の表面に配置された金属層からなる。第２電気接点１２２の表面は平面状である。第２電気接点１２２は、複数配置されている。複数の第２電気接点１２２は、それぞれが装着方向に延びた矩形形状を有している。複数の第２電気接点１２２は、互いに僅かな隙間を空けて、軸方向に並んでいる。
【００４８】
図３に示すように、トナーカートリッジ９は、第１記憶媒体１１０を有している。第１憶媒体は、例えば、ＩＣチップなどの情報を記憶する媒体であり、ＩＣチップに限られない。第１記憶媒体１１０は、トナーカートリッジ９がドラムカートリッジ８に装着されたときに、筐体９０がボトムフレーム８０Ｂに対面する側の底面９０Ｕに位置している。第１記憶媒体１１０は、トナーカートリッジ９に接着により固定されている。
【００４９】
第１記憶媒体１１０は、記憶素子１１１と、第１電気接点１１２を有している。第１記憶媒体１１０の記憶素子１１１には、トナーカートリッジ９の製品情報が記憶されている。第２電気接点１２２は記憶素子１２１と接続されている。
【００５０】
図５に示すように、第１記憶媒体１１０は、軸方向における筐体９０の一端側に位置している。トナーカートリッジ９がドラムカートリッジ８に装着された状態において、第１記憶媒体１１０は、開口８０Ｋから露出し、且つ、第２記憶媒体１２０と装着方向に並んでいる。
【００５１】
第１電気接点１１２は、基板の表面に配置された金属層からなる。第１電気接点１１２の表面は平面状である。第１電気接点１１２は、複数配置されている。複数の第１電気接点１１２は、それぞれが装着方向に延びた矩形形状を有している。複数の第１電気接点１１２は、互いに僅かな隙間を空けて、軸方向に並んでいる。
【００５２】
図６に示すように、軸方向における複数の第２電気接点１２２のそれぞれの中心Ｃ２は、軸方向における複数の第１電気接点１１２のそれぞれの中心Ｃ１と、軸方向における位置が異なっている。詳しくは、軸方向において、第１電気接点１１２の中心Ｃ１と第２電気接点１２２の中心Ｃ２が交互に並ぶように配置されている。
【００５３】
図３に示すように、第２電気接点１２２は、第１電気接点１１２と同一平面上に位置している。
【００５４】
図７に示すように、本体筐体２の一端側の側壁２１には、電気接点部材１３０が設けられている。具体的には、電気接点部材１３０は、側壁２１のガイド溝２１Ａの下に配置されている。電気接点部材１３０は、プロセスカートリッジ６が本体筐体２に装着されたとき、第１記憶媒体１１０と第２記憶媒体１２０と対面するようになっている。
【００５５】
図８（ａ）に示すように、電気接点部材１３０は、第２筐体１３１と、第３電気接点１３３と、第４電気接点１３４とを有している。第３電気接点１３３および第４電気接点１３４は、第２筐体１３１に支持されている。本実施形態では、第３電気接点１３３は、第１電気接点１１２に対応して、複数設けられている。また、前記第４電気接点は、第２電気接点１２２に対応して、複数設けられている。
【００５６】
第２筐体１３１は、箱型をした単一の筐体である。第２筐体１３１は、上面に、穴１３０Ａ，１３０Ｂが形成されている。穴１３０Ａ，１３０Ｂは、矩形形状を有し、装着方向に延びている。第２筐体１３１は、第３電気接点１３３と第４電気接点１３４に接続された単一のコネクタ１３５を有している。
【００５７】
第３電気接点１３３および第４電気接点１３４は、装着方向に延びた板形状を有している。第３電気接点１３３および第４電気接点１３４は、軸方向に直交するように配置されている。
【００５８】
図８（ｂ）に示すように、第３電気接点１３３および第４電気接点１３４は、一部が第２筐体１３１から上方に向けて突出し、一部が第２筐体１３１内に入っている。第２筐体１３１内には、第３電気接点１３３および第４電気接点１３４のそれぞれに対応して、付勢部材１３３Ａ，１３４Ａが設けられている。付勢部材１３３Ａ，１３４Ａは、第３電気接点１３３および第４電気接点１３４を第２筐体１３１の外側、具体的には上に向けて押圧している。プロセスカートリッジ６が画像形成装置１に装着された状態において、第３電気接点１３３および第４電気接点１３４は、第１電気接点１１２および第２電気接点１２２を押圧するようになっている。
【００５９】
プロセスカートリッジ６が画像形成装置１に装着された場合、第３電気接点１３３は、第１電気接点１１２と電気的に接触するようになっている。また、プロセスカートリッジ６が画像形成装置１に装着された場合、第４電気接点１３４は、第２電気接点１２２と電気的に接触するようになっている。
【００６０】
図６に示すように、複数の第４電気接点１３４のそれぞれは、複数の第３電気接点１３３のそれぞれと、装着方向に交差する第２交差方向において異なる位置に配置されている。本実施形態では、第２交差方向は、第１交差方向と同じ方向である。具体的には、軸方向において、第３電気接点１３３は、第１電気接点の中心Ｃ１に一致している。また、軸方向において、第４電気接点１３４は、第２電気接点の中心Ｃ２に一致している。
【００６１】
図８（ａ）に示すように、コネクタ１３５は、複数の第５電気接点１３６を有している。複数の第５電気接点１３６は、複数の第３電気接点１３３および複数の第４電気接点１３４のそれぞれに電気的に接続されている。コネクタ１３５は、ケーブル１３７のプラグ１３７Ａに接続されている。ケーブル１３７は、内部に複数の配線を有している。
【００６２】
複数の第３電気接点１３３および複数の第４電気接点１３４のそれぞれに電気的に繋がった配線は、第２筐体１３１から、ケーブル１３７としてひとまとまりになって引き出されている。第３電気接点１３３および第４電気接点１３４から読み取られたドラムカートリッジ８およびトナーカートリッジ９の情報はケーブル１３７を介して制御装置１００に送られる。
【００６３】
以上のように構成された画像形成装置１およびプロセスカートリッジ６の作用および効果について説明する。
【００６４】
プロセスカートリッジ６は、トナーカートリッジ９の製品情報を記憶した第１記憶媒体１１０と、ドラムカートリッジ８の製品情報を記憶した第２記憶媒体１２０を有している。このため、画像形成装置１は、トナーカートリッジ９とドラムカートリッジ８のそれぞれの製品情報を読み取ることができる。
そして、プロセスカートリッジ６は、第１記憶媒体１１０と第２記憶媒体１２０が装着方向に並んでいる。このため、情報を読み取るための部材としての第３電気接点１３３および第４電気接点１３４を装着方向に並べて配置することができる。この結果、電気接点部材１３０を小さくできるので、画像形成装置１の大型化を抑制することができる。
【００６５】
また、本実施形態の電気接点部材１３０では、第３電気接点１３３および第４電気接点１３４を単一の第２筐体１３１に配置している。このため、電気接点部材１３０を小型化でき、画像形成装置１の大型化を抑制することができる。さらに、電気接点部材１３０は単一のコネクタ１３２を有している。このため、電気接点部材１３０の配線が容易である。
【００６６】
また、第１記憶媒体１１０の第１電気接点１１２および第２記憶媒体１２０の第２電気接点１２２は、軸方向に並び、それぞれが装着方向に延びている。これにより、プロセスカートリッジ６が装着されたときに、装着方向にずれたとしても、第１電気接点１１２および第２電気接点１２２は電気接点部材１３０と安定して接触することができる。
【００６７】
また、第１電気接点１１２の中心Ｃ１と第２電気接点１２２の中心Ｃ２の軸方向における位置が異なっている。このため、第３電気接点１３３を第４電気接点１３４の近くに配置できるので、電気接点部材１３０を小型化することができる。
【００６８】
また、第２電気接点１２２は、第１電気接点１１２と同一平面上に位置している。このため、第３電気接点１３３と第４電気接点１３４の配置が容易になるとともに、電気的な接触が安定する。
【００６９】
以上、本発明の実施形態について説明したが、本発明は前記実施形態に限定されるものではない。具体的な構成については、本発明の趣旨を逸脱しない範囲で適宜変更が可能である。
【００７０】
前記した実施形態では、第１電気接点１１２の中心Ｃ１と第２電気接点１２２の中心Ｃ２の軸方向における位置が異なっている構成としたが、これに限定されるものではない。
例えば、図９に示すプロセスカートリッジ２６０のように、第１電気接点２１２の中心と第２電気接点２２２の中心が軸方向において同じ位置Ｃ３にあってもよい。このプロセスカートリッジ２６０においても、トナーカートリッジ２９０がドラムカートリッジ２８０に装着された状態において、第１記憶媒体２１０は、開口２８０Ｋから露出し、第２記憶媒体１２０と装着方向に並んでいる。このプロセスカートリッジ２６０によっても、第１記憶媒体２１０と第２記憶媒体２２０が装着方向に並んでいることで、画像形成装置の大型化を抑制することができる。
【００７１】
前記した実施形態では、感光体ドラムの軸が延びる軸方向は装着方向と直交していたが、軸方向は装着方向と直交していなくてもよい。例えば、図１０に示すプロセスカートリッジ３６０は、軸方向が装着方向に沿った方向となっている。つまり、プロセスカートリッジ３６０は、軸方向に沿って画像形成装置に装着されるようになっている。このプロセスカートリッジ３６０では、トナーカートリッジ３９０がドラムカートリッジ３８０に装着された状態において、第１記憶媒体３１０は、開口３８０Ｋから露出し、第２記憶媒体３２０と装着方向に並んでいる。このプロセスカートリッジ３６０によっても、第１記憶媒体３１０と第２記憶媒体３２０が装着方向に並んでいることで、画像形成装置の大型化を抑制することができる。
【００７２】
前記した実施形態では、第１記憶媒体および第２記憶媒体が接着により固定されていたが、固定方法はネジ止めなどの他の方法であってもよい。
【００７３】
前記した実施形態では、電気接点部材が単一の筐体を有していたが、複数の筐体を有していてもよい。また、電気接点部材が複数のコネクタを有していてもよい。これらの場合であっても、複数の筐体や複数のコネクタなどを、まとめて配置しやすい。このため、画像形成装置の大型化を抑制することができる。
【００７４】
第２交差方向は、第１交差方向と同じ方向であったが、同じ方向でなくてもよい。
【００７５】
上述の実施形態においては、モノクロのレーザプリンタの画像形成装置を例示したが、画像形成装置はカラーの画像形成装置であってもよいし、ＬＥＤにより露光するものであってもよいし、コピー機や複合機であってもよい。
【００７６】
前記した各実施形態および各変形例の各要素は、任意に組み合わせて実施することが可能である。
【符号の説明】
【００７７】
１      画像形成装置
２      本体筐体
６      プロセスカートリッジ
８      ドラムカートリッジ
９      トナーカートリッジ
８０    フレーム
８０Ｂ  ボトムフレーム
８０Ｋ  開口
８０Ｓ  サイドフレーム
８１    感光体ドラム
８４    ピンチローラ
９０    筐体
９１    現像ローラ
１１０  第１記憶媒体
１１２  第１電気接点
１２０  第２記憶媒体
１２２  第２電気接点
１３０  電気接点部材
１３１  第２筐体
１３２  コネクタ
１３３  第３電気接点
１３４  第４電気接点
１３６  配線
【図１】
2019159048.tif 000003
【図２】
2019159048.tif 000004
【図３】
2019159048.tif 000005
【図４】
2019159048.tif 000006
【図５】
2019159048.tif 000007
【図６】
2019159048.tif 000008
【図７】
2019159048.tif 000009
【図８】
2019159048.tif 000010
【図９】
2019159048.tif 000011
【図１０】
2019159048.tif 000012